Podtech/llm-jp-corpus-v4-ja_patent huggingface dataset:
(57)【要約】【課題】  農業用ポリフィルム展開で、腰を曲げての作業となり、体に負担をかける事の改善。【解決手段】  ポリフィルム展開器具１０を考案した。紙管７に、ポリフィルム展開器具の挿入金具１を差し入れ、持ち手部５を持ち、二人で後退しながら引く。挿入金具１に取り付けた、ベアリング３の効果で、ポリフィルム２０の回転がなめらかになり、直進性が向上、腰を伸ばしての作業が可能になり、体への負担も減った。【選択図】図２
0003122450.tif 000002
【実用新案登録請求の範囲】
【請求項１】
Ｌ字型をした金具の先端に、ベアリングを取り付け、農業用ポリフィルムが巻かれた、円筒状の紙管に、ベアリング部分を差し込み、育苗箱・又は定植用トンネルにポリフィルムを被覆する、ポリフィルム展開器具。
【考案の詳細な説明】
【技術分野】
【０００１】  本考案は、農業用ポリフィルム・ビニール等の展開に関する。
【背景技術】
【０００２】  水稲育苗では、育苗箱を並べ終えた後に、保温のためポリフィルム（ポリマルチ）を被覆する。ポリフィルムは、円筒状の紙管に巻いてあり、幅１．２ｍから３．０ｍに並べた育苗箱を両側二人で、紙管に手の指を入れ、後退しながらポリフィルムを展開していた。
【考案の開示】
【考案が解決しようとする課題】
【０００３】  しかし、これでは、ポリフィルムをまっすぐ被覆するために、二人の呼吸を合わせる必要があり、腰を曲げて後退しながら、横目で相手の動きを見るという体に負担のかかる仕事となる。
【課題を解決するための手段】
【０００４】  そこで、Ｌ字型の金属棒にベアリングを備えた、ポリフィルム展開器具（図１）を考案した。このポリフィルム展開器具の使用により、腰を曲げずにポリフィルムを展開できる。
【考案の効果】
【０００５】  よって腰を伸ばしての作業が可能になり、体への負担も減った。またベアリングの効果で、ポリフィルムの回転が滑らかになり、直進性が向上し、まっすぐにポリフィルムを展開することが出来る。
【考案を実施するための最良の形態】
【０００６】  本考案による、ポリフィルム展開器具１０は、図１に示すようにベアリング３を備えることにより、ポリフィルム２０の回転を滑らかにし、作業性・操作性を向上させた。ベアリング３を取り付ける挿入金具１を、全ネジにすることで、ベアリング不具合時ナット４を回すことで容易に交換できる。持ち手金具２は、丸鋼とするが挿入金具と同一でも良い。曲折部６は、アーク溶接、又はプレスで折り曲げて直角にし、曲折部６が、湾曲の場合と比較し紙管７との接触を減らし、ポリフィルム２０の回転を妨げないようにした。持ち手部５に網入りビニールホースを付けて、すべり止めとした。図２の使用時図面で示すように、製品を一対にすることで、ポリフィルムの幅を限定せず、通常販売するポリフィルムの幅に、対応することが出来る。
【図面の簡単な説明】
【０００７】
【図１】本考案に係る、ポリフィルム展開器具の図面である。
【図２】ポリフィルム展開器具、使用時の図面である。右半分は断面図である。
【符号の説明】
【０００８】  １    挿入金具    ３／８インチ  全ネジ  長さ約１０ｃｍ
２    持ち手金具  ９ｍｍ  丸鋼  又は３／８インチ全ネジ  長さ９０〜１００ｃｍ
３    ベアリング  ６２９ＺＺ
４    ナット      ３／８インチナット
５    持ち手部    網入りビニールホース  内径９ｍｍ×外径１５ｍｍ長さ１３ｃｍ
６    曲折部      アーク溶接又は、プレス加工による折り曲げ
７    紙管
１０    ポリフィルム展開器具
２０    ポリフィルム
【図１】
0003122450.tif 000003
【図２】
0003122450.tif 000004
(57)【要約】      （修正有）【課題】  扇ぐことで、小パーツの動きが音を発生させ、動きと音で楽しめる手軽なうちわを提供する。【解決手段】  無地のうちわの扇部１に、ボタン電池搭載の薄型音声発生装置２を適宜な位置に貼付けした上から、うちわ紙３を貼り、装置のスイッチ部４の近くに板紙等小パーツ５の一部を貼る。うちわを扇ぐことでパーツが揺動し、装置のスイッチを切、入させて断続的な音を発生させる。うちわ紙に動物やキャラクターの絵を用いて、小パーツと音声に関連のものを用いると、従来のうちわとは一味違う、付加価値のあるうちわになる。【選択図】図１
0003122443.tif 000002
【実用新案登録請求の範囲】
【請求項１】
うちわの扇部（１）の適宜な位置に、ボタン電池搭載の薄型音声発生装置（２）を貼付けた上から、うちわ紙（３）が貼られ、音声発生装置のスイッチ部（４）の近部に、板紙等小パーツ（５）の一部を貼付けることで構成したことを特徴とする、音の出るうちわ。
【考案の詳細な説明】
【技術分野】
【０００１】  本考案は、うちわの扇部に貼付けされたボタン電池搭載薄型音声発生装置が、そのスイッチ近部に貼付けされた小パーツの、扇ぐ動作による揺動で、スイッチの電源が切、入される作用を利用して、涼風とともに音声を発生することを目的としたうちわに関するものである。
【背景技術】
【０００２】  これまでに、音声発生装置を利用して音曲を出すうちわは、いくつか知られている。（特許文献１、２、３参照）。
【特許文献１】特許公開平８−５６７２８号公報
【特許文献２】登録実用新案第３０６３８８７号公報
【特許文献３】登録実用新案第３０８８３６２号公報
【考案の開示】
【考案が解決しようとする課題】
【０００３】  しかしながら従来のうちわは、柄の部分、または柄と扇部の部分に電源と音声発生装置をもうけ、扇部のみに取り付けた簡易なものはなかった。
また、扇部に小パーツを付け、そのパーツの揺動の作用で電源を切、入するものはなかった。
本考案は、以上の点を考え、解決するためになされたものである。
【課題を解決するための手段】
【０００４】  うちわ扇部の適宜なる位置に、ボタン電池搭載の薄型音声発生装置を貼付けた上から、うちわ紙を貼り、音声発生装置のスイッチ近部に板紙等で作った小パーツの一部を貼付ける。
【考案の効果】
【０００５】  本考案のうちわを扇ぐと、扇部に貼付けられた小パーツがその動きに連動して揺動し、そのパーツの扇部に当たる部分に設けられた薄型音声発生装置のスイッチ部に、パーツが接触したり離れたりすることで、電源が入ったり、切れたりする。この動きから、短い音声が断続的に発生し、涼風を受けながら音も楽しむことができる。うちわ紙の図柄と小パーツの図柄、音声発生装置の発する音は、互いに関連させるとテーマが統一されて良い。
また音声発生装置は、扇部への貼付けとすることで、うちわ骨や柄部への組込みの必要はなく、既製のうちわをそのまま使用することも出来る。
【考案を実施するための最良の形態】
【０００６】  以下、本考案の実施の形態を説明する。
無地のうちわの扇部（１）の適宜なる位置に、ボタン電池搭載の薄型音声発生装置（２）を、接着剤または両面テープ等にて強力に貼付けし、その上から、目的に合った絵柄のうちわ紙（３）を貼付けする。音声発生装置（２）のスイッチ部（４）近くに、板紙等で作った小パーツ（５）の一部を貼付け、うちわの動きに連動して小パーツ（５）の揺動がうまくスイッチ部（４）に当たるよう調整する。
【図面の簡単な説明】
【０００７】
【図１】本考案の斜視図
【図２】本考案の断面図
【図３】本考案の他の実施例を示す正面図
【符号の説明】
【０００８】（１）扇部、（２）ボタン電池搭載の薄型音声発生装置、（３）うちわ紙、（４）スイッチ部、（５）板紙等小パーツ
【図１】
0003122443.tif 000003
【図２】
0003122443.tif 000004
【図３】
0003122443.tif 000005
(57)【要約】      （修正有）【課題】地方での仏教的風習のお盆などにお墓に設置する提灯飾りにおいて、旧来の木製素材などでの手作的提灯飾りを軽量で設置や操作が容易で耐久性に富んだ構成とすると共に、より簡単な構造とし、より低価格とし、その場での収納をも可能とした収納部を有した継手式提灯飾りの提供。【解決手段】複数の提灯吊り具９を下側に有した提灯掛横桟８の両側に横桟取付部７を有した支柱６からなる門型構成に於て、支柱６の下部に接続する継手凸部５を有した高さ調整用の延長継手４を有し、その延長継手４と挿入固定するベース凸部３と地面に固定する平板のベース座２からなるベース部との組み合せ構成及びベース座２の下部である地中に、ベース部を反転した際にベース凸部３を収納できて支柱６や延長継手４や提灯掛横桟８が収納できるサイズの筒状収納管１を有し、ベース座２が収納管１の蓋となる組み合せ構成。【選択図】図１
0003122429.tif 000002
【実用新案登録請求の範囲】
【請求項１】
複数の提灯吊り具９を下側に有した提灯掛横桟８の両側に横桟取付部７を有した支柱６からなる門型構成に於て、支柱６の下部に接続する継手凸部５を有した高さ調整用の延長継手４を有し、その延長継手４と挿入固定するベース凸部３と地面に固定する平板のベース座２からなるベース部との組み合せ構成を特徴とした収納部を有した継手式提灯飾り。
【請求項２】
ベース座２の下部である地中に、ベース部を反転した際にベース凸部３を収納できて支柱６や延長継手４や提灯掛横桟８が収納できるサイズの筒状収納管１を有し、ベース座２が収納管１の蓋となる組み合せ構成を特徴とする請求項１記載の収納部を有した継手式提灯飾り。
【考案の詳細な説明】
【技術分野】
【０００１】  本考案は地方での仏教的風習のお盆などにお墓に設置する提灯飾りにおいて、旧来の木製素材などでの手作的提灯飾りを軽量で設置や操作が容易で耐久性に富んだ構成とすると共に、より簡単な構造とし、より低価格とし、その場での収納をも可能とした収納部を有した継手式提灯飾りに関するものである。
【背景技術】
【０００２】  従来、お墓に設置する提灯飾りは、風習的に引き継がれた旧来の技術や技法と素材で手作りされていたため作業性や効率性や合理性などを考慮した技術背景ではなかったし、地方に於て現在のような過疎化や高齢化が進行することが予想されなかった。【０００３】  平成１７年１１月３０日出願の実願２００５−１１１５１スライド式提灯飾りは全く新しい構成で標準化した提灯飾りであった。
【考案の開示】
【考案が解決しようとする課題】
【０００４】  従来の提灯飾りは木製や竹製などで支柱や提灯掛横桟は各々一体型であったため次のような問題があった。
（イ）初盆の際の提灯飾りは提灯掛桟を複数段セットした高層構造物となり、その設置や操作や撤去作業には滑車等の使用を余儀なくされた場合もあり重労働であり安全性などにも問題があった。
（ロ）風習的に提灯飾りの構造は初盆から年数を経過すると低層化、簡素化されていくが従来の提灯掛桟や支柱の一体型においては再製作や改造を余儀なくされ費用や手間がかかるなどの問題もあった。
（ハ）提灯飾りは木製や竹製などであり重量的に重く耐久性にも問題があったし、特に生木を使用した場合には深刻であった。
（ニ）特に地方の田舎に於ては過疎化や高齢化が進んでおり、これらの問題がより顕著であり深刻であった。【０００５】  実願２００５−１１１５１スライド式提灯飾りには次のような問題があった。
（イ）スライド方式であるため内支柱と外支柱が必要であり材料費や製造費がが高額となった。
（ロ）スライド方式であるため内支柱と外支柱が必要であり重量が重くなり操作性や運搬性などが悪く問題であった。
（ハ）お盆期間だけ提灯飾りを設置するが、その他の期間は収納しなければならず収納場所の確保や収納庫への運搬など問題であった。【０００６】  いまその課題を解決するための構成を説明すれば、
請求項１については提灯１０を吊るす複数の提灯吊り具９を下側に有した提灯掛横桟８の両側に横桟取付部７を有した支柱６からなる門型の提灯飾り構成に於て、支柱６の下部に挿入接続する継手凸部５を有した高さ調整用の延長継手４を有し、その延長継手４を挿入固定するベース凸部３と地面に固定する平板状のベース座２からなるベース部とを組み合せた基本構成。【０００７】  請求項２についてはベース座２の下部である地中に、ベース部を反転した際にベース凸部３を収納できて、片側の支柱６や延長継手４や提灯掛横桟８が収納できるサイズの筒状収納管１を有し、反転したベース座２が収納管１の蓋となる組み合せ構成。
【考案の効果】
【０００８】  本考案の効果は過疎化や高齢化が深刻な地方の田舎に於て顕著であり、その具体効果を列記します。
（イ）従来のスライド式提灯飾りより構造が簡単で材料も軽減されるため材料費や製造費が削減でき低価格となった。
（ロ）従来のスライド式提灯飾りより重量が軽減されるため操作や運搬が容易となった。
（ハ）二段式提灯飾りに於ては延長継手４により、適正高さ位置となり提灯のセットが容易になった。
（ニ）お盆が終わったらその場に収納でき運搬や収納庫が不用となり大変便利である。【０００９】  本考案により提灯飾りをより安価で便利に提供でき設置や撤去や操作や保管が容易となり、作業性や安全性が向上します、特に信仰心が強く風習を守ろうとする地域や過疎化や高齢化により担い手が不足している地域において明るく楽しく心の通った社会づくりに大きく貢献するものであります。
【考案を実施するための最良の形態】
【実施例】
【００１０】  具体実施例を述べれば、
（イ）具体一例として門型の二段式提灯飾りの高さを１６００ミリメートル程度とする。
（ロ）継手凸部５の高さを除く延長継手４の高さは６００ミリメートル程度とする。
（ハ）ベース部のベース凸部３の高さは３００ミリメートル程度とする。
（ニ）ベース部のベース座２には地面１１もしくは収納管１との固定具を有する。
（ホ）ベース座２は反転してベース凸部３を収納管１にセットして収納管１の蓋を代用する構成である。
（ヘ）収納管１の底に水抜き機構を有する。
（ト）収納部を有する構造はスライド式提灯飾りにも適用する。
【図面の簡単な説明】
【図１】本考案の提灯飾りを設置した状態で、二段式提灯飾りの一例を示す正面断面図
【図２】本考案の提灯飾りを撤去した状態の一例を示す正面断面図
【符号の説明】
１は収納管
２はベース座
３はベース凸部
４は延長継手
５は継手凸部
６は支柱
７は横桟取付部
８は提灯掛横桟
９は提灯吊り具
１０は提灯
１１は地面
【図１】
0003122429.tif 000003
【図２】
0003122429.tif 000004
(57)【要約】【課題】キーボードのシャーシーに設けられたチタン微結晶によって透明殺菌薄膜を形成させ、キーボードを蛍光灯或は日光中の紫外線照射で光触媒作用を発生させることでキーボード操作環境における殺菌及び浄化の効果を達成することができる抗菌キーボードを提供する。【解決手段】畿面に少なくとも一層の抗菌薄膜を包含するキーボードとキーとにおいて、前記抗菌薄膜をナノ(nano)化二酸化チタンの微結晶粒子で構成させ、該微結晶粒子の粒径が約20nmである抗菌キーボート。【選択図】図２
0003122488.tif 000002
【実用新案登録請求の範囲】
【請求項１】
表面に少なくとも一層の抗菌薄膜を包含するキーボードとキーとにおいて、前記抗菌薄膜をナノ(nano)化二酸化チタンの微結晶粒子で構成したことを特徴とする抗菌キーボード。
【請求項２】
前記チタン微結晶粒子の粒径が約20nmであることを特徴とする請求項1に記載の抗菌キーボード。
【考案の詳細な説明】
【技術分野】
【０００１】
本考案は表面に二酸化チタンを有する抗菌キーボードに関し、殊にチタン金属の微結晶被膜をキーボード表面に塗布して、紫外線照射の揚合に殺菌効果を生成する抗菌キーボードに関する。
【背景技術】
【０００２】
現有キーボード等の入力装置は、その殆どがABS等のプラスチック材で構成され、尚且つ、入力装置の例えば、コンピュータ用キーボード、ノートパソコン用キーボード及び携帯式電話機用キーボード等は、装置と使用者との接触機会が多い故に、使用者の汗液、油または唾液等による表面汚染がひどく、且つ、各キーの間隙が狭い故に、キーボード内部において灰塵、毛髪等が沈積し、例えば、鏈球菌等の不可視細菌が隠蔵する。
【０００３】
米国学者の研究による、キーボードで発見された有害細菌は、公共便所における細菌の400倍以上であると称し、コンピュータ使用者における皮膚病、眼疾および胃腸病等の接触性伝染病罹患が多発は、キーボード表面の細菌滋生が最大原因であると述べている。
【０００４】
従って、紫外線照射により殺菌の効果を達する典型例は、台湾の特許出願番号第093211726号に見られる。
【０００５】
然るに、当該方式は、実地生産および使用における投入原価が高く、且つ、その達しうる殺菌効果も有限である。
【特許文献１】台湾特許出願番号第093211726号
【考案の開示】
【考案が解決しようとする課題】
【０００６】
本考案は前記課題に鑑みてなされたものであり、考案人の思索による原価節減の改善案は、経済効果を供える方法であり、前記問題点を解決する為に産出された装置の最善策でもある。
【０００７】
本考案の目的は、表面に二酸化チタンを具える抗菌キーボードの提供することであって、コンピュータ用キーボードの表面に二酸化チタン薄膜を形成する方式にて抗菌薄膜を生成し、当該薄膜の蛍光灯または日光照射において、光触媒作用により殺菌効果を達成させることである。
【課題を解決するための手段】
【０００８】
前記目的を達成するため、本考案が提供する抗菌キーボードは、表面に二酸化チタン薄膜を包含するキーボードとキーとを有し、前記薄膜は、微結晶チタンで構成され、微結晶チタンの紫外線照射を利用することによって光触媒作用を生成させ、前記キーボードと前記キーとの表面を被覆する有機体または有機物質を分解させる。
【０００９】
前記チタンの徴結晶は、二酸化チタン結晶粒子をナノ化した微細粒子であって、前記キーボード表面と緊密に結合し、且つ、外観において完全に透明状態であるゆえ、前記キーボードの元来外観とカラーの保持が可能である。
【００１０】
よって、光触媒により光線における紫外線利用でチタンの微結晶反応により有害物質を分解することで抗菌劫果を達成する。
【考案の効果】
【００１１】
前述の如く、本考案のメリットは、前記キーボードのシャーシーに設けられたチタン微結晶によって透明殺菌薄膜を形成させ、前記キーボードを蛍光灯或は日光中の紫外線照射で光触媒作用を発生させることでキーボード操作環境における殺菌及び浄化の効果を達成する。
【考案を実施するための最良の形態】
【００１２】
以下、本考案の実施形態の一例について図面に基づき詳細に説明する。図1は、本考案の抗菌キーボード外観を示す図であり、図2は、考案の抗菌キーボードのシャーシーと殺菌薄膜の断面図である.
【００１３】
本考案のキーボードは、デスクトップまたはノートパソコンのキーボード、携帯式電話機の数字キーボード或はPDAの入力用キーボード等である。
【００１４】
図面が示すように、本考案のキーボードは、キーボードのシャーシー10表面に二酸化チタンのナノ化チタン微結晶膜を少なくとも一層設けることで、前記シャーシー表面に殺菌膜11を形成する。尚、前記微結晶は、低温工程でシャーシー10表面に付着させる。且つ、当該微結晶の粒径は約20ｎｍが好適である。従って、蛍光灯200又は日光201の紫外線照射において、前記微結晶に電子と正孔(hole)とを生成し、微電流反応をもたらし、水と酸素とを反応させて活性酸素を発生させ、有機化合物の分子結合を切断することにより、有機化合物の分解効果を達成する(例えば、細菌抑生、空気中の異味除去、致癌化学物の表面に少なくとも一層の抗菌薄膜を包含するキーボードとキーとにおいて、前記抗菌薄膜をナノ(nano)化二酸化チタンの微結晶粒子で構成した分解、窒酸素化合物の浄化等)。
【００１５】
前記実施形態は、本考案における一実施形態であって、該実施例は本考案の実施範囲を限定するものではない。従って、本考案の請求範囲に述べる形状、構造特徴および趣旨にて成しうる均等変化と修飾などは、本考案の請求範囲内に包括される。
【図面の簡単な説明】
【００１６】
【図１】本考案の抗菌キーボード外観を示す図。
【図２】本考案の抗菌キーボー一ドのシャーシーと殺菌薄膜の断面図。
【符号の説明】
【００１７】
１０  シャーシー
１１  薄膜
２００  蛍光灯
２０１  日光
【図１】
0003122488.tif 000003
【図２】
0003122488.tif 000004
(57)【要約】【課題】  本考案はファラデーの電磁誘導と単極誘導を止揚した包括原理に基づく新しい電磁誘導回路を得ることにある。【解決手段】  開回路の開放部を通電能を有する媒体で非固定接触でつないで閉回路とし、静止している磁石による磁界中で前記媒体を通る仮想回路部の動きが磁力線と可能な限り直交する状態で前記開回路を運動させて起電力を発生させることを特徴とする電磁誘導回路を構成する。【選択図】図１
0003122438.tif 000002
【実用新案登録請求の範囲】
【請求項１】
開回路の開放部を通電能を有する媒体で非固定接触でつないで閉回路とし、静止している磁石による磁界中で前記媒体を通る仮想回路部の動きが磁力線と可能な限り直交する状態で前記開回路を運動させて起電力を発生させることを特徴とする電磁誘導回路。
【請求項２】
開回路の開放部を通電能を有する媒体で非固定接触でつないで閉回路とし、前記開回路の作る仮想平面と磁力線とが可能な限り平行になるように配置された磁石と共に前記開回路を運動させて起電力を発生させることを特徴とする電磁誘導回路。
【考案の詳細な説明】
【技術分野】
【０００１】  本考案は、ファラデーの電磁誘導と単極誘導を止揚する包括原理に基づいた電磁誘導回路に関する。
【背景技術】
【０００２】  従来の電磁誘導回路は、閉回路を貫く磁束の時間的変化を抑えるように起電力がその閉回路に生じるというレンツが定式化したファラデーの法則に基づく電磁誘導回路と、同様にファラデーにより発見された単極誘導回路とで構成されている。後者は磁石の両極を結ぶ軸線と銅製円盤の回転軸が平行で磁力線が円盤面を貫くようにに置かれた配置において銅製円盤を回転させると中心軸と外周縁の間に起電力が生じるというものである。ほとんどの産業用発電機は前者の回路を組み込んだものであり、後者は現在も学術的関心の段階に止まっている。【０００３】  しかしながら、二つの起電力の原理は一つの原理としてまとめられておらず、両原理が止揚されて、その包括原理が見いだされた時に存在するであろう新しい電磁誘導回路が未発見のままであるという欠点があった。
【考案の開示】
【考案が解決しようとする課題】
【０００４】  本考案は、ファラデーの電磁誘導と単極誘導を止揚する包括原理を見いだし、新しい電磁誘導回路を提供する事を目的としている。
【課題を解決するための手段】
【０００５】  上記目的を達成するために、下記の数１の回路起電力ｅを与えるファラデーの法則を展開する。【０００６】
【数１】
0003122438.tif 000003
【０００７】  上記の数式において、ｅは当該回路の起電力、Ｅは回路の一点での電界、ｒは回路の任意点の位置、Ｂは磁束密度、Ｓは回路内面積、Ａは積分される面積の上限である。磁束密度についてはＢ＝Ｂ（ｘ、ｙ、ｚ）、ただしｘ＝ｘ（ｔ）、ｙ＝ｙ（ｔ）、ｚ＝ｚ（ｔ）、そして定積分上限面積についてはＡ＝Ａ（ｔ）として数１の右辺を展開すると、最終的には下記の数２を得る。【０００８】
【数２】
0003122438.tif 000004
【０００９】  数２の第１項はレンツの法則と称されている起電力項であり、第２項は面積速度を有する時の回路の該当部分Ａにおける面積速度ベクトルと磁束密度のベクトルとの内積で、新たな起電力の項である。数１で示されるファラデーの法則における積分の上限に微分を適用した結果、生じた項である。回路の一部が開放されている開回路の開放部をブラシ等を介して非固定接触で通電能をもつ媒体たとえば銅線等を用いて閉じて閉回路とし、静止状態の磁石による磁界中で銅線側を動かした場合は第１項は０で、第２項のみとなる。銅線が静止しており、逆にＵ字形の元の開回路が運動する場合は銅線と対抗する元の開回路のＵ字の底辺に対応する部分の動きが数２の第２項に反映される、そして第１項から第２項を差し引いて残った項が起電力となる。ただしＵ字形の元の開回路と銅線が非固定接触であることを反映して、開回路の移動速度は第２項の面積速度とは逆になる。いずれの場合も回路の面積の増減域と磁力線とが直交している時に起電力は最大になる。
【考案の効果】
【００１０】  以上の説明から明らかなように、本考案にあっては次に列挙する効果が得られる。
（１）請求項１の開回路を閉じる媒体を電界液として、開回路の両端を液に浸漬して一端を軸として他端を回転することにより電解液に電流を誘導し、開回路の一端に対する他端の回転速度と該磁石の磁力を選ぶことにより、電流値をこまかく制御すことができる。
（２）請求項２の電磁誘導回路についても前記（１）と同様な効果が得られる。
【考案を実施するための最良の形態】
【００１１】  以下、実施例に基づいて、この考案を更に詳細に説明する。
【実施例１】
【００１２】  図１は、本考案の電磁誘導回路の概略構成図である。逆Ｙ字型開回路１の上部はドーナツ型ネオジュウム磁石５の中心穴を通ってモータの回転軸に連結されており、逆Ｙ字型開回路１の両足２、３は電解液に浸漬されている。図１のように磁石５のＮ極をモータ側、Ｓ極を液側として、逆Ｙ字型開放回路１をモータにより反対時計方向に角速度ωで回転すると足２から足３に向かって電流が流れる。その起電力ｅは数２の第２項を足３の中心から足２の外周Ｒまでの電解液の微少長さ要素ｄｒに適用し、半径方向に積分した下記の数３で与えられる。ただし磁束密度Ｂは積分区間内の電解液表面で一定としている。【００１３】
【数３】
0003122438.tif 000005
【００１４】  電解液が塩水であれば足３に水素ガスが、足２に塩素ガスが発生する。逆に、逆Ｙ字型開放回路１を固定して電解液を時計方向に−ωで回転させるときも同じ向き同じ値の起電力を得る。これは速度の相対性から一致して当然であり、逆Ｙ字型開回路を回転する本実施例では開回路間足部４が磁束を切るが、ために生じるとするローレンツ力による起電力という単純思考は否定される。運動する磁石はまわりに電界を創り、回路はそこに置かれたプローブであるという事象の数学的表示が数２と解釈される。
【図面の簡単な説明】
【００１５】
【図１】開回路の開放部の両足を電解液で結んで閉じた回路を固定磁場の下で回転せしめて起電力を得る装置の見取り図である。
【符号の説明】
【００１６】    １  逆Ｙ字型開回路
２  開回路足
３  開回路足
４  開回路間足部
５  磁石
６  電解液
【図１】
0003122438.tif 000006
(57)【要約】【課題】  本考案は、紙差込み装置の底面にマグネット兼粘着シールを設け、場所を選ばずに固定することにより安定させ、紙差込み装置本体に紙、チケット等の差込み口を設け、紙差込み装置本体によって紙等を傷めずに円滑に片手で感触よく差込み及び取り出しをする。【解決手段】  本考案は、紙差込み装置本体１の底面にマグネット兼粘着シール７を設けて固定するとともに、紙、チケット等の紙等差込み口５を紙差込み装置本体１に設け、片手での差込み及び取り出しをより容易にし、紙差込み装置本体１に溝８を設け、鋼球の移動空間６内に鋼球２及び鋼球３を内蔵することにより紙等を傷めずに、しっかり固定し、すらすらと滑らかに感触よく差込み及び取り出しをすることができる。【選択図】図１
0003122433.tif 000002
【実用新案登録請求の範囲】
【請求項１】
紙差込み装置について、紙差込み装置本体底面にマグネット兼粘着シールを設け、紙差込み装置本体に紙、チケット等の差込み口を設け、鋼球を内蔵し溝を設けたところを特徴とする紙差込み装置。
【考案の詳細な説明】
【技術分野】
【０００１】  本考案は、紙及びチケット等を挟んで置くためのマグネット兼粘着シール及び鋼球を使用した紙差込み装置に関するものである。
【背景技術】
【０００２】  紙、チケット等をばねの力により押さえる方法によるものや、差込み口に差し込む方法で使用していた。
【考案の開示】
【考案が解決しようとする課題】
【０００３】  従来の技術の方法によると、片手での挟み込み、差込み、取り出しが不便であるもの、挟み込み時や差込み時及び取り出し時に、力が掛かってしまい紙等を傷めてしまうものや、取り出し時に引っかかりがあり取り外ししずらい問題点がある。従って、マグネット兼粘着シール及び鋼球を用いることによって前述の欠点を解決するものである。
【課題を解決するための手段】
【０００４】  本考案は、紙差込み装置本体底面にマグネット兼粘着シールを設けて固定するとともに、紙、チケット等の差込み口を紙差込み装置本体に設け、片手での差込み及び取り出しをより容易にし、紙差込み装置本体に溝を設け鋼球を内蔵することにより、紙等を傷めずに、しっかり固定し、すらすらと滑らかに感触よく差込み及び取り出しをすることを可能にし問題点を解決している。
【考案の効果】
【０００５】  上述の様に、本考案の紙差込み装置は本体底面にマグネット兼粘着シールを設けることにより安定した固定ができ、場所を選ばずに設置することができ、紙差込み装置本体に紙、チケット等の差込み口を設けることで片手での差込み及び取り出しをより容易にすることができ、紙差込み装置本体に溝を設け鋼球を内蔵したことにより、紙、チケット等を傷めずに、しっかり固定し、円滑に片手での差込み及び取り出しが感触よくできる。
【考案を実施するための最良の形態】
【０００６】  紙差込み装置を本体底面に設けているマグネット兼粘着シールで固定し、紙差込み装置本体に設けている紙等差込み口に紙等を差込むことにより紙等が溝により差込みし易く、鋼球が鋼球制御棒に当たることによって、鋼球が球体であるため鋼球の移動空間内をうまく転がり、後退して二個の鋼球の重みによって紙等を挟み込む。挟み込まれた紙等は、鋼球が球体であるため、紙等の接している面が少なく、少しの力で引き抜くことにより鋼球が鋼球の移動空間内を前方に転がり、感触よく滑らかに取り出すことができる。
【実施例】
【０００７】  以下、添付図面に従って実施例を説明する。１は紙差込み装置本体、７は紙差込み装置本体を固定するためのマグネット兼粘着シールで、使用する場所に固定する。【０００８】  ５は紙等を差込むための紙等差込み口であり、差込まれた紙等が溝８により差込みし易く、鋼球３は鋼球制御棒４に当たり、鋼球３及び鋼球２は球体であるため鋼球の移動空間６内を転がり鋼球３及び鋼球２は左方に移動する。差込まれた紙等は、鋼球２及び鋼球３の重みによって挟み込まれる。紙等を取り出すには、鋼球２及び鋼球３は球体であるため紙等の接している面が少なく、挟み込まれた紙等を少しの力で引き抜くことで鋼球２及び鋼球３が引っ張られ、鋼球の移動空間６内を右方に転がり紙等を滑らかに感触よく取り出すことができる。
【図面の簡単な説明】
【０００９】
【図１】  本考案の紙差込み装置の実施例を示す側面図である。
【図２】  本考案の紙差込み装置の平面図である。
【図３】  本考案の紙差込み装置の正面図である。
【符号の説明】
【００１０】  １  紙差込み装置本体
２  鋼球
３  鋼球
４  鋼球制御棒
５  紙等差込み口
６  鋼球の移動空間
７  マグネット兼粘着シール
８  溝
【図１】
0003122433.tif 000003
【図２】
0003122433.tif 000004
【図３】
0003122433.tif 000005
(57)【要約】      （修正有）【課題】電動自転車、オートバイのキーをセンサーオートロックキーにすることで、簡単にキーの開閉ができ、盗難防止にも役立つ。【解決手段】センサーオートロックキーを取り付けた電動自転車、オートバイ。【選択図】図１
0003122435.tif 000002
【実用新案登録請求の範囲】
【請求項１】
センサーオートロックキーを取り付けた電動自転車。
【請求項２】
センサーオートロックキーを取り付けたオートバイ。
【考案の詳細な説明】
【技術分野】
【０００１】  センサーオートロックキーを電動自転車、オートバイに取り付ける。
【背景技術】
【０００２】  センサーオートロックキーは、現在自動車ドア、シャッター開閉に使用されているが、現在電動自転車、オートバイに取り付けたものはない。
【考案が解決しようとする課題】
【０００３】  電動自転車、オートバイのキーをセンサー使用のセンサーオートロックキーにする。
【考案を解決しようとする手段】
【０００４】  電動自転車、オートバイのキーをセンサーで簡単に開閉できるようにする。
【考案実施の形態】
【０００５】  ▲１▼電動自転車のキーをセンサーオートロックキーにする。
▲２▼オートバイのキーをセンサーオートロックキーにする。
【実施例】
【０００６】  以下は添付図により実施例を説明する。
図１の１は電動自転車本体である。２はセンサーオートロックキー本体を内蔵した部分で、３のセンサーオートロックキーで４のセンサーで、電動自転車のキーを開閉する。オートバイも同じ構造である。
【考案の効果】
【０００７】  本考案、センサーオートロックキーで一般的な現在のキーより簡単で、便利である。盗難予防に役立つ。
【図面の簡単な説明】
【０００８】
【図１】  センサーオートロックキート付き電動自転車。
【符号の説明】
【０００９】  １  電動自転車の全体側面図
２  センサーオートロックキー内臓部
３  センサーオートロックキー
４  センサー
【図１】
0003122435.tif 000003
(57)【要約】      （修正有）【課題】微弱電波を利用した貴重品持ち出し禁止装置であり使用方法が簡単で、設置も簡単にでき安価な貴重品持ち出し禁止装置である。【解決手段】貴重品に取り付ける送信タグにモーションセンサーを内蔵させ、送信タグを貼り付けた貴重品を動かしたときだけ電波が設定時間送信する仕組みである。送信時間は通常約１０秒〜６０秒程度である。また出入口に設置している受信機に電波の届く距離は通常約１０ｍ以内であり調整できるようになっている。タグを取り外したときに出る電波は別チャンネルとし、別の警報用受信機で受信し、警報を発生させたり通報装置に連動できる。【選択図】図２
0003122437.tif 000002
【実用新案登録請求の範囲】
【請求項１】
貴重品に取り付けて、動かすと電波を送信するタグと出入り口に設置してタグの電波を受信する受信機からなりタグを取り付けた貴重品が出入り口に近づくと受信機から警報を出したり通報装置につながる仕組みの貴重品持ち出し禁止装置。
【請求項２】
［請求項１］の装置において、タグを取り外した時は別チャンネルの電波送信回路で別の電波を送信して警報または通報できる仕組みの貴重品持ち出し禁止装置。
【考案の詳細な説明】
【技術分野】
【０００１】この考案はノートパソコンや高級絵画、重要書類等にタグを取り付け無断で持ち去ろうとしたとき出入り口で警報を出したり、通報装置が働くようにしたものである。従来よりお店等で出入り口にゲートを設け商品を万引きしようとするとゲートやタグからさまざまな警報音が発生するものがあるが、装置が大げさで目立つため美術館や、銀行等では使用するのは困難であった。また従来の装置ではほとんどＲＦＩＤの技術を利用し、出入り口で微弱電波を発生するゲートを設置し、商品に取り付けたタグのＩＤを識別するものである。
【考案が解決しようとしている課題】
【０００２】従来のＲＦＩＤ方式ではタグの送信電波の出力が弱くゲートの受信アンテナを大きくする必要があり、受信機外観が大きくなり見栄えが悪く、また受信範囲は１ｍ前後と限られていた。設置場所によってはノイズが多く使えない場所もあった。
【課題を解決するための手段】
【０００３】このタグはタグ自体に電波送信回路を内蔵し、電池の消耗を少なくするために常時は電波を送信せず、モーションセンサーが働いたときだけ設定時間、微弱電波を送信するものである。設定時間は通常約１０秒から６０秒程度であり調整可能である。
タグを貴重品から取り外したときは異常とみなし別の電波を送信し、近くに設置した専用受信機から警報を鳴らしたり、通報できる仕組みとなっている。
【考案の効果】
【０００４】この安価なシステムは従来お店でしか使えなかった万引き防止システムと同様の効果を美術館や一般の事務所や銀行で貴重品持ち出し禁止装置として容易に使用できる装置である。
【考案を実施するための最良の形態】
【０００５】送信機内蔵タグはできるだけ薄く小さくし電池は容易に手に入る薄型コイン電池を使用する。  取り付けは両面テープで貴重品に貼り付ける。
スイッチは簡単に入り切りできないような場所に取り付ける。
受信機は出入り口の目立たない場所に設置しアラームを鳴動させたり通報装置につながるようにする。
【実施例】
【０００６】銀行の出入り口に設置し、ノートパソコンや顧客名簿、重要書類、絵画等に送信タグを貼り付け出入り口に受信機を設置し送信タグの付いた貴重品を持ち出そうとすると出入口でアラームを鳴動させたり自動通報することができる。
美術館では絵画や彫刻品等に貼り付ける。
展示会場では展示商品に貼り付ける。
【産業上の利用可能性】
【０００７】個人情報保護法の施工以来、保険会社、銀行、証券会社等の顧客情報、原子力発電所や各種の研究所の極秘データの紛失が大きな社会問題となっている。
本装置は比較的持ち出されやすい顧客管理情報の入ったノートパソコンや高級絵画や置物等に取り付けて無断持ち出しや紛失、盗難を未然に防ぐことを目的とし、さまざまな分野での利用が考えられる。
お店ではデジカメ等の高価商品の万引き防止に使える。
【図面の簡単な説明】
【０００８】
【図１】本考案の使用イメージ図である。
【図２】本考案の外観図である。
【図３】本考案のモーションセンサーの１例である。
【図４】本考案の回路ブロック図である。
【図５】本考案のタグ取りはがしスイッチ図である。
【図１】
0003122437.tif 000003
【図２】
0003122437.tif 000004
【図３】
0003122437.tif 000005
【図４】
0003122437.tif 000006
【図５】
0003122437.tif 000007
(57)【要約】      （修正有）【課題】工場や建設現場において作業員と重機の接触事故が増えている現状において事故を減らし安全作業を推進する。すなわち作業員が重機に近づくと何らかの警報、警告を出し、事故を抑止する。【解決手段】本装置は微弱電波送信ユニットを重機に搭載し、周囲で働いている作業員が近づくと作業員のヘルメットに装着している受信ユニットから注意を促す警告音が発生するものである。重機運転者は重機に搭載している送信ユニットが何らかの原因で電波が出なくなったときは重機運転者が持っている受信ユニットが鳴動し、故障を知ることができるものである。【選択図】図２
0003122436.tif 000002
【実用新案登録請求の範囲】
【請求項１】
重機に取り付けて微弱電波を送信する送信ユニットと作業員がヘルメット等に取り付け電波が届くと鳴動する受信ユニットと重機運転者が持ち電波が途切れると鳴動する受信ユニットからなる重機接近警報装置。
【考案の詳細な説明】
【技術分野】
【０００１】この考案は重機等の危険物に電波送信ユニットを装着し、ヘルメット等に装着したペンタイプの受信ユニットを持った作業員が重機に近づくとピッピッ・・・という音で危険を知らせるものである。動作距離は約１０ｍ以内で受信ユニットの動作距離調整用ダイヤルで自由に調整できるものである。
運転者は送信ユニットから出る電波を常時受信して、送信ユニットの電波が故障等で途切れるとピッピッ・・・という音の出る受信ユニットを装着して電波が出ているか出ていなかを知ることができる。作業者用受信ユニットと運転者用受信ユニットは同じものが使用でき、受信ユニットの切り替えスイッチで電波が届くと鳴動する機能と、電波が途切れると鳴動する機能に使い分けることができる。
【背景技術】
【考案が解決しようとしている課題】
【０００２】従来より超音波センサーや赤外線センサーを重機に搭載して、人や物が重機に近づくと運転席にある警報装置で運転者が人や物の接近に気づくものがあった。しかし重機の角度やものの大小で誤作動が多くあまり使われていない。また、精度を高めるには短い動作距離で多くのセンサーを搭載しなければならず、取り付け方法も指向性センサーのため調整が難しく手間がかかり高価なものとなっている。
【課題を解決するための手段】
【０００３】この考案では人を検知するセンサーには指向性の少ない微弱電波を使用し、重機の見晴らしのよい位置に送信ユニットを設置すれば１個の送信機で３６０度の方向に電波を飛ばすことができる。
作業員が持つ受信ユニットは動作距離調整用ダイヤルで動作距離を約１０ｍ以内で自由に調整でき、ヘルメットの中に装着できるように小型ペンシルタイプやカードタイプにする。
この受信ユニットは切り替えスイッチがついており常時、電波を受信しているときは鳴動せず、送信ユニットからの電波が途切れると鳴動する機能に切り替えができ、運転者用のモニター受信機とすることができる。
送信ユニット、受信ユニットとも電池駆動で電池ふたを開けて簡単に電池交換ができ、送信ユニットは間欠送信のため電池寿命は長く、受信ユニットは市販の電池を使用するが充電式にすることもできる。
【考案の効果】
【０００４】この考案は安価なコストで、取り付け取り外しが簡単で使いやすい重機接近警報装置となっているため広い分野で使用が期待できる。
【実施例】
【０００５】建設現場においてバックホーなどの重機と作業員の接触事故の抑止に使用できる。
【産業上の利用可能性】
【０００６】工場や建設現場の人身事故は増えている現状において、安価で使用方法の簡単な安全装置が求められている。作業員や重機運転者が注意して作業するのは当然であるが安全面でも機械化し、機械と人による２重の安全対策が必要な時代になっている。本装置は使用方法が簡単で安価なので産業上の利用の可能性は大きい。
【図面の簡単な説明】
【０００７】
【図１】本考案の使用イメージ図である。
【図２】本考案の外観図である。
【図３】本考案の受信機装着図である。
【図４】本考案の回路ブロック図である。
【図１】
0003122436.tif 000003
【図２】
0003122436.tif 000004
【図３】
0003122436.tif 000005
【図４】
0003122436.tif 000006
(57)【要約】      （修正有）【課題】簡単に着脱できる補助ブレーキで、一般の車に取り付け運転練習を行なう時に同乗者がブレーキ操作を補助的に行なえる。【解決手段】プレート１にベルト４を付けて、ブレーキペダルに直接着脱できるようにした事により、傷も付けず一般の車に装着できる。また、プレートサイドに取り付けた棒２にステッキ３等を差し込む事により同乗者がブレーキペダルを運転者と共有して使える様にした補助ブレーキ。【選択図】図１
0003122434.tif 000002
【実用新案登録請求の範囲】
【請求項１】
自動車のブレーキペダルに棒を取り付けたプレート板をベルトによって着脱自在に取り付け、棒に市販のステッキなど差し込み、助手席からステッキを押し込む事によって、ブレーキペダルを押し込みブレーキ操作の補助を行う事ができるようにした補助ブレーキプレート板。
【考案の詳細な説明】
【技術分野】
【０００１】  本考案は、自動車のブレーキ操作を補助的に助手席から行えるようにした補助ブレーキ装置に関するものである。
【背景技術】
【０００２】従来の補助ブレーキ装置は助手席にもブレーキペダルを設置するなど、取り付けが煩雑で手間やビス止めなどを必要としていた。
【考案の開示】
【考案が解決しようとする課題】
【０００３】補助ブレーキは免許取得時の教習時に使う教習車につけてある以外、一般の自動車に取り付けるには費用も改造も必要となり現実的でない。しかし、免許取得後も練習したい人は沢山おり、補助ブレーキなしの車で練習してるのが現状です。そこで一般の車にも傷をつけずに簡単に取り付けできる様にした補助ブレーキ装置である。
【課題を解決するための手段】
【０００４】本考案はブレーキペダルに直接ベルトでプレートを着脱できるようにし、助手席から市販のステッキ等で押し込める様にプレートに差込み用の棒を取り付けた。
【考案の効果】
【０００５】上述のように、本考案の補助ブレーキはベルトで止めるだけの非常に簡単で、３分ほどで着脱でき、且つ傷も付かない為、レンタカーなどの他人の車にも使用できる。
【考案を実施するための最良の形態】
【０００６】プレート本体はブレーキペダル面に装着する事により、ブレーキペダルと一体化し、そのまま足で踏み込む事ができる。プレートサイドに取り付けられた棒にステッキを差し込む事により、助手席の同乗者と運転者とどちらでもブレーキペダルを直接押し込む事ができるようになっているが、運転者が足で踏み込む事への障害はない。
【実施例】
【０００７】以下、添付図面に従って実地例を説明する。プレートにはベルトが付けられる様になっており図１から図２の様にブレーキペダルとプレートを一緒に結束するようにしっかり止める。【０００８】プレートサイドに取り付けた棒にステッキ等を差し込み、完成は図３のようになる。【０００９】助手席に乗った同乗者がステッキを手で押し込むと、ブレーキペダルが押し込まれブレーキがかかり、補助的なブレーキ操作ができる。
【産業上の利用可能性】
【図面の簡単な説明】
【００１０】
【図１】本考案の補助ブレーキプレートのブレーキペダルに設置前の図
【図２】本考案の補助ブレーキプレートのブレーキペダルに設置後の図
【図３】本考案の補助ブレーキを取り付けた状態を示す図である。
【符号の説明】
【００１１】１  プレート
２  ステッキ等差込棒
３  ステッキ
４  ベルト
【図１】
0003122434.tif 000003
【図２】
0003122434.tif 000004
【図３】
0003122434.tif 000005
(57)【要約】      （修正有）【課題】視認性に優れた新規な魔法瓶を提供する。【解決手段】内容器に従来のステンレス材等の金属材を用いて強度を保持しながら、外容器として透明樹脂材を用いて二重壁構造とし、空間部に広告文や会社名を印刷した印刷部を収納する。【選択図】図４
0003122431.tif 000002
【実用新案登録請求の範囲】
【請求項１】
金属製の内容器を有する魔法瓶であって、前記内容器は金属製であり、外面に透明樹脂材からなる透明筒体を設けて二重壁構造とした空間部を有することを特徴とする魔法瓶。
【請求項２】
前記空間部には、広告文又は会社名を印字した印刷物を収納してなることを特徴とする魔法瓶。
【請求項３】
前記透明筒体は、金属性上部挟持部と下部挟持部との間に挟持されてなることを特徴とする魔法瓶。
【考案の詳細な説明】
【技術分野】
【０００１】
本考案は、二重壁構造の魔法瓶に関し、更に詳しくは金属製の内容器の外面に透明樹脂材からなる透明筒体を設けて、内部に収納した広告文や会社名等を容易に視認できるようにした魔法瓶である。
【背景技術】
【０００２】
従来の魔法瓶は、金属製魔法瓶としてステンレスやアルミニウム材からなる一重、又は二重壁を有する魔法瓶は公知である。
【０００３】
また、魔法瓶内部の液量を見ることができるものとして、特開平１０−２０１６４６号「魔法瓶」は、「合成樹脂からなる二重型構造の透明な容器本体において、胴部空間層を有色透明な仕切材で内外に仕切ってある魔法瓶」を開示しているように、容器の素材として透明樹脂材を用いることは公知である。
【特許文献１】特開平１０−２０１６４６号公報
【考案の開示】
【考案が解決しようとする課題】
【０００４】
上記の魔法瓶は、容器に温湯を入れて携帯することを目的とするために耐強度性を有する金属素材で製造されたり、あるいは、内部の液体の消費動向を視認するために内容器と外容器の二重壁を透明樹脂材で製造しているが、この場合は、構造的に強度上の課題があった。
【０００５】
一方で、販売者や製造者側からは、容器本体に自社の広告文や社名等を何らかの形で示すことによって、多くの消費者に自社製品をＰＲすることが望まれており、新しい形態の魔法瓶の開発が望まれていた。
【課題を解決するための手段】
【０００６】
本考案者は、掛かる課題を解決するための鋭意研究したところ、内容器に従来のステンレス材等の金属材を用いて強度を保持しながら、外容器として透明樹脂材を用いて二重壁構造とし、内面に広告文や会社名を印刷した印刷部を収納することによって視認性に優れた新規な魔法瓶を提供することができた。
【０００７】
すなわち本考案の第一は、金属製の内容器を有する魔法瓶であって、前記内容器は金属製であり、外面に透明樹脂材からなる透明筒体を設けて二重壁構造とした空間部を有することを特徴とする魔法瓶である。
【０００８】
本考案の第二は、前記空間部には、広告文又は会社名を印字した印刷物を収納してなることを特徴とする魔法瓶である。
【０００９】
本考案の第三は、前記透明筒体は、金属性上部挟持部と下部挟持部との間に挟持されてなることを特徴とする魔法瓶である。
【考案の効果】
【００１０】
本考案の魔法瓶は、外面に透明樹脂材を用いることから二重壁内部に収納した広告文を容易に視認できることから、製造者や販売会社にとってＰＲ度の高い商品として販売が可能となっている。
【００１１】
本体容器としてステンレス材やアルイミニウム材からなる金属材を用いるために、本体容器の強度性は高く、長く使用できる容器となっている。
【考案を実施するための最良の形態】
【００１２】
以下、図面を参照にして本考案の詳細を説明するが、本考案の範囲はこれらに限定されるものではない
【実施例１】
【００１３】
図１は、本考案の魔法瓶の実施態様を示す縦断面図である。本考案の魔法瓶は、円筒形状の本体容器１の上部に開口部３が設けられている有底型の容器であり、開口部３は略半球状体の蓋体２が螺旋状に被覆されるものである。
【００１４】
容器本体１は、ステンレス素材を深絞り加工によって開口部３、上部挟持部４、内壁面６とを形成し、別途、製造した下部挟持部５と嵌合固定する構造となっているが、開口部３は、図２に示すように２段からなる螺旋部を設け、該螺旋部が上部挟持部と一体成形されている。
【００１５】
図３は、図１における容器本体部の部分拡大図であるが、上部挟持部は、本体容器の一部を構成して内壁部６として下方に延設すると共に、他端部は、硬質ポリエチレン等の透明樹脂材からなる外筒壁の上端部を押さえる突起部１０を有している。
【００１６】
上記透明樹脂からなる外筒壁と内筒壁の間には空間部９が生ずる為に、前記透明樹脂材とほぼ同形の印刷部を空間部９に収納させて、下部挟持部５で本体容器の内筒壁、印刷物、樹脂材の外筒壁と順にそれらの端部を挟持して接着固定した。
【００１７】
この場合、二重壁内に収納された印刷物８は、図４に示すように視認性よく外部から見ることができるので、予め、公告度の高い印刷部とを用意しておくと良い。
【図面の簡単な説明】
【００１８】
【図１】本考案の魔法瓶の実施態様を示す縦断面図である。
【図２】図１における開口部の部分拡大図である。
【図３】図１における容器本体部の部分拡大図である。
【図４】本考案の実施態様を示す正面図である。
【符号の説明】
【００１９】
１・・・容器本体
２・・・蓋体
３・・・開口部
４・・・上部挟持部
５・・・下部挟持部
６・・・内筒壁
７・・・外筒壁（透明樹脂）
８・・・印刷物
９・・・空間部
１０・・突起部
【図１】
0003122431.tif 000003
【図２】
0003122431.tif 000004
【図３】
0003122431.tif 000005
【図４】
0003122431.tif 000006
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
金属製の内容器を有する魔法瓶であって、前記内容器は金属製であり、外面に透明樹脂材からなる透明筒体を設けて二重壁構造とした空間部を有することを特徴とする魔法瓶。
【請求項２】
前記空間部には、広告文又は会社名を印字した印刷物を収納してなることを特徴とする請求項１記載の魔法瓶。
【請求項３】
前記透明筒体は、金属性上部挟持部と下部挟持部との間に挟持されてなることを特徴とする請求項１記載の魔法瓶。
(57)【要約】【課題】      ホールケーキ等菓子に購入者が任意のデコレーションや文字を入れられるようする。【解決手段】  クリーム部を別容器に入れ添付し販売、購入者各自がクリームを使いデコレーションや文字を入れる。【選択図】図１
0003122458.tif 000002
【実用新案登録請求の範囲】
【請求項１】
購入者が各自でデコレーションや文字を入れたりできるよう先が細いペン状の容器に入れたクリームを別添付する菓子。
【考案の詳細な説明】
【考案の詳細な説明】
【技術分野】
【０００１】  本考案は、従来、ホールケーキ等菓子がデコレーションや文字が入れられている様態で販売されていることに対し、デコレーションや文字部分を入れずに販売、購入者が各自で任意のデコレーションや文字を入れることができる仕組みに関する。
【背景技術】
【０００２】  従来技術では、デコレーションや文字を入れるためのクリーム部を別にしての販売は行われていない。
【考案の開示】
【考案が解決しようとする課題】
【０００３】  従来の販売方法では、デコレーションや文字が入った状態で販売されており、購入者が各自で好きなデコレーションや文字を入れることはできない。
【課題を解決するための手段】  上記を解決するために、クリーム部を別の容器に入れ販売、クリームが細く出るようにすることで購入者が任意のデコレーションや文字を入れることができるようにする。
【考案の効果】  誕生日用のケーキには誕生者の名前や年齢を本人又は家族などが各自で入れることができたり、小さなお子様と保護者が一緒に任意のデコレーションを施したりできることで、購入後に「楽しさ」や「面白さ」を醸成することができる。
【考案を実施するための最良の形態】
【０００４】  先が細くペン状で使用できる容器にクリームを入れ添付し販売する。
【図面の簡単な説明】
【図１】  ホールケーキにクリーム入容器を使用し文字を入れている図である。
【図１】
0003122458.tif 000003